【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】  動脈斑の皮下治療用の薬剤を準備する方法であって、
生物学的に適合性があり、電解成分を含む導電性物質が、患者の、治療を必要とする身体領域から離されるように、前記導電性物質を容器に入れるステップと、
少なくとも1対の電極を前記導電性物質と接触して配置し、前記1対の電極を互いに隔てさせるステップと、
前記両電極に接続された信号発生機械を動作させて、周波数と電圧を有する交流電流を前記両電極の間および前記物質の中をある期間通過させるステップと、
を有し、
前記物質を流れる電流が少なくとも１ミリアンペアである
方法。
【請求項２】  動脈斑に関連する病気の皮下治療用の薬剤を準備する方法であって、
生物学的に適合性があり、電解成分を含む導電性流体が、患者の、治療を必要とする身体領域から離されるように、前記導電性流体を容器に入れるステップと、
少なくとも1対の電極を前記導電性流体と接触して配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記流体を流れる電流が少なくとも１ミリアンペアである
方法。
【請求項３】  動脈硬化症の皮下治療用の薬剤を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項４】  動脈壁から脂肪性の沈着物を溶解させ、緩め、除去する薬剤を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項５】  抗ビールス性治療を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項６】  疼痛の皮下治療用の薬剤を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項７】  高血圧の皮下治療用の薬剤を準備する方法であって、
生物学的に適合性のあり、生物学的に適合性のある電解流体を含む導電性物質が、患者の、治療を必要とする身体領域から分離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項８】  軟弱内部結合組織の皮下治療用の薬剤を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項９】  弱い皮下毛細血管流の皮下治療用の薬剤を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項１０】  （ａ）損傷した内部蛋白質構造と、（ｂ）損傷した内部蛋白質構造から生じた病気のいずれかの治療用の薬剤を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項１１】  心臓不整脈の治療用の薬剤を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項１２】  心臓のポンプ作用の調整と効率を改善する薬剤を準備する方法であって、
生物学的に適合性があり、生物学的に適合性がある電解流体を含む導電性物質が、患者の、治療を必要とする身体領域から離されるように、前記導電性物質を容器に入れるステップと、
少なくとも1対の電極を前記導電性物質と接触させて配置し、前記1対の電極を互いに隔てさせるステップと、
前記両電極に接続された信号発生機械を動作させて、周波数と電圧を有する交流電流を、前記両電極の間および前記流体の中をある期間通過させるステップと、
を有し、
前記導電性物質が電解成分を含み、
前記流体を流れる電流が少なくとも１ミリアンペアである
方法。
【請求項１３】  前記導電性物質が、電解物質を内部に有する水を含む、請求項１から１２に記載の方法。
【請求項１４】  前記導電性物質が、塩を内部に有する水を含む、請求項１から１２に記載の方法。
【請求項１５】  前記交流電流の周波数が約１０Kｈｚと１Mｈｚの間にある、請求項１から１２に記載の方法。
【請求項１６】  前記交流電流の周波数が約２５Kｈｚと１００Kｈｚの間にある、請求項１から１２に記載の方法。
【請求項１７】  前記交流電流がＤＣバイアスをほぼ有しない、請求項１から１２に記載の方法。
【請求項１８】  前記交流電流が少なくとも５０ボルトのピーク−ピーク電圧を有する、請求項１から１２に記載の方法。
【請求項１９】  前記交流電流の周波数が約１０Kｈｚと１Mｈｚの間にあり、前記交流電流が少なくとも５０ボルトのピーク−ピーク電圧を有する、請求項１から１２に記載の方法。
【請求項２０】  前記交流電流の周波数が約２５Kｈｚと１００Ｋｈｚの間にあり、前記交流電流が少なくとも５０ボルトのピーク−ピーク電圧を有する、請求項１から１２に記載の方法。
【請求項２１】  前記交流電流が５０ボルトと１５０ボルトの間のピーク−ピーク電圧を有する、請求項１から１２に記載の方法。
【請求項２２】  前記信号発生機械から前記両電極に印加された出力電力が前記両電極からの信号を受信する導電性物質の１ｍｌ当たり少なくとも１０ｍWの電気信号電力が印加させられる、請求項１から１２に記載の方法。
【請求項２３】  前記信号発生機械から前記両電極に印加された出力電力が前記両電極からの信号を受信する導電性物質の１ｍｌ当たり少なくとも１０ｍWの電気信号電力が印加させられ、前記交流電流信号の周波数が約２５Kｈｚと１００Kｈｚの間にある、請求項１から１２に記載の方法。
【請求項２４】  前記信号発生機械から前記両電極に印加された出力電力が前記両電極からの信号を受信する導電性物質の１ｍｌ当たり少なくとも１０ｍWの電気信号電力が印加させられ、前記交流電流信号の周波数が約２５Kｈｚと１００Ｋｈｚの間にあり、前記物質が、前記交流電流が除去されたとき、限られた期間のみ続くアクティブな特性を取得する、請求項１から１２に記載の方法。
【請求項２５】  前記信号発生機械から前記両電極に印加された出力電力が前記両電極からの信号を受信する導電性物質の１ｍｌ当たり少なくとも１０ｍWの電気信号電力が印加させられ、前記交流電流信号の周波数が約１０Kｈｚと１Ｍｈｚの間にあり、前記物質が、前記交流電流が除去されたとき、限られた期間のみ続くアクティブな特性を取得する、請求項１から１２に記載の方法。
【請求項２６】  前記信号発生機械から前記両電極に印加された出力電力が前記両電極からの信号を受信する導電性物質の１ｍｌ当たり約１Wの電気信号電力である、請求項１から１２に記載の方法。
【請求項２７】  前記信号発生機械から前記物質に印加された出力電力が、前記両電極からの電力を受信する導電性物質の周囲を越えて少なくとも１．６６度（Ｃ）温度を上昇させるのに十分なパワーである、請求項１から１２に記載の方法。
【請求項２８】  前記信号の周波数が約２５Ｋｈｚと１００Ｋｈｚの間にあり、前記信号発生機械から前記物質に印加された出力電力が、使用前の少なくとも１０分間、前記両電極からの電力を受信する導電性物質の周囲を越えて少なくとも１．６６度（Ｃ）上昇させるのに十分である、請求項１から１２に記載の方法。
【請求項２９】  前記信号の周波数が約１０Ｋｈｚと１Ｍｈｚの間にあり、前記信号発生機械から前記物質に印加された出力電力が、使用前の少なくとも１０分間、前記両電極からの電力を受信する導電性物質の周囲を越えて少なくとも１．６６度（Ｃ）温度を上昇させるのに十分である、請求項１から１２に記載の方法。
【請求項３０】  前記信号の周波数が約２５Ｋｈｚと１００Ｋｈｚの間にあり、前記信号発生機械から前記物質に印加された出力電力が、使用前の少なくとも１０分間、前記両電極からの電力を受信する導電性物質の周囲を越えて少なくとも１．６６度（Ｃ）温度を上昇させるのに十分であり、前記物質が、前記交流電流が除去されたとき、限られた期間のみ続くアクティブな特性を取得する、請求項１から１２に記載の方法。
【請求項３１】  前記信号の周波数が約１０Ｋｈｚと１００Ｋｈｚの間にあり、前記信号発生機械から前記物質に印加された出力電力が、使用前の少なくとも１０分間、前記両電極からの電力を受信する導電性物質の周囲を越えて少なくとも１．６６度（Ｃ）温度を上昇させるのに十分であり、前記物質が、前記交流電流が除去されたとき、限られた期間のみ続くアクティブな特性を取得する、請求項１から１２に記載の方法。
【請求項３２】  電流が少なくとも１０分間前記導電性物質の中と前記両電極の間を流れるように電力が印加される、請求項１から１２に記載の方法。
【請求項３３】  前記交流電流信号発生機械の周波数が約２５Ｋｈｚと１００Ｋｈｚの間にあり、前記物質に印加された出力電力が、少なくとも１０分間、前記両電極からの信号を受信する導電性物質の１ｍｌ当たり少なくとも１０ｍWの電気信号電力である、請求項１から１２に記載の方法。
【請求項３４】 前記交流電流信号発生機械の周波数が約１０Ｋｈｚと１Ｍｈｚの間にあり、前記物質に印加された出力電力が、少なくとも１０分間、前記両電極からの信号を受信する導電性物質の１ｍｌ当たり少なくとも１０ｍWの電気信号電力である、請求項１から１２に記載の方法。
【請求項３５】  電流が少なくとも約4時間前記導電性物質の中と前記両電極の間を流れるように電力が印加される、請求項１から１２に記載の方法。
【請求項３６】  前記交流電流信号発生機械の周波数が約２５Ｋｈｚと１００Ｋｈｚの間にあり、前記物質に印加された出力電力が、少なくとも約4時間、前記両電極からの信号を受信する導電性物質の１ｍｌ当たり少なくとも１０ｍWの電気信号電力である、請求項１から１２に記載の方法。
【請求項３７】  前記交流電流信号発生機械の周波数が約１０Ｋｈｚと１Ｍｈｚの間にあり、前記物質に印加された出力電力が、少なくとも約4時間、前記両電極からの信号を受信する導電性物質の１ｍｌ当たり少なくとも１０ｍWの電気信号電力である、請求項１から１２に記載の方法。
【請求項３８】  電流が約4時間から8時間前記導電性物質の中と前記両電極の間を流れるように電力が印加される、請求項１から１２に記載の方法。
【請求項３９】  信号発生機械からの前記交流電流の周波数が約１０Kｈｚと１００Kｈｚの間にあり、前記物質に印加された出力電力がほぼＤＣバイアスをもたず、かつ少なくとも１０分間周囲温度を超えて、前記導電性流体の温度を少なくとも１．６６度（Ｃ）上昇させるのに十分な電力である、請求項１から１２に記載の方法。
【請求項４０】  信号発生機械からの前記交流電流の周波数が約２５Kｈｚと１００Kｈｚの間にあり、前記物質に印加された出力電力がほぼＤＣバイアスをもたず、かつ少なくとも１０分間、周囲温度を超える、前記導電性流体の温度を少なくとも１．６６度（Ｃ）上昇させるのに十分な電力であり、前記物質が、前記交流電流が除去されたとき、限られた期間のみ続くアクティブな特性を取得する、請求項１から１２に記載の方法。
【請求項４１】  信号発生機械からの前記交流電流の周波数が約１０Kｈｚと１Ｍｈｚの間にあり、前記物質に印加された出力電力がほぼＤＣバイアスをもたず、かつ少なくとも１０分間、周囲温度を超える、前記導電性流体の温度を少なくとも１．６６度（Ｃ）上昇させるのに十分な電力であり、前記物質が、前記交流電流が除去されたとき、限られた期間のみ続くアクティブな特性を取得する、請求項１から１２に記載の方法。